(57)【要約】【課題】種銭を運賃箱に残したままにせずに運用することができる運賃収受システムを提供する。【解決手段】運賃収受システム１は、運賃や券類が投入される運賃箱２、運賃箱２に投入された投入物を収納する金庫４、及び金庫４内の収納物を回収する精算機５を備える。金庫４は、運賃箱２に両替のための硬貨や紙幣が投入された際に、両替硬貨としての種銭を払い出す種銭払出機構３６を備える。種銭払出機構３６から払い出された両替硬貨は、搬送ベルト３８によって上方にリフトアップされ、運賃箱本体３の側壁に配設された受け皿１３から排出される。【選択図】図１
2014174731.tif 000002
【特許請求の範囲】
【請求項１】
運賃箱に投入される運賃を含む収納物の収納箇所である金庫を前記運賃箱から取り外し、金庫扉が施錠された当該金庫を精算機にセットし、前記金庫扉を解錠するとともに開け、金庫内の前記収納物を前記精算機で回収し、この回収作業を前記金庫ごとに行うことにより、複数の該金庫の前記収納物を前記精算機で回収する運賃収受システムにおいて、
前記運賃箱には、前記運賃箱の外部に硬貨を払い出し可能な硬貨払出機構が、前記運賃箱に対して着脱可能に設けられている
ことを特徴とする運賃収受システム。
【請求項２】
前記硬貨払出機構は、前記金庫に設けられている
ことを特徴とする請求項１に記載の運賃収受システム。
【請求項３】
前記硬貨払出機構は、硬貨の種類ごとに複数設けられ、
前記精算機は、複数の前記硬貨払出機構に対し、種類を仕分けしながら硬貨を補充する硬貨補充機構を備えた
ことを特徴とする請求項１又は２に記載の運賃収受システム。
【発明の詳細な説明】
【技術分野】
【０００１】
本発明は、運賃箱に投入された運賃等を精算機で回収する運賃収受システムに関する。
【背景技術】
【０００２】
従来、運賃箱において投入運賃の収納箇所である金庫を運賃箱から取り外して精算機に持ち寄り、各金庫内に収納された収納物（運賃や券類等）を精算機で一括回収する運賃収受システムが周知である（特許文献１等参照）。金庫は、運賃箱本体から取り外されるとき、運賃等の入口となる金庫扉が施錠される。この金庫が精算機にセットされると、金庫扉が解錠されるとともに開けられ、金庫内の収納物が精算機の内部に排出される。この回収作業を金庫ごとに行い、各金庫内の収納物を精算機で回収する。
【０００３】
ところで、この種の運賃箱は、例えば両替機能や釣銭機能を備えることから、両替用や釣銭用の硬貨（以下、種銭と言う）を運賃箱の外部に払い出すための機構が必要である。よって、通常の運賃箱には、種銭を溜めておく硬貨貯留部が設けられ、両替時や釣銭排出時、硬貨貯留部から必要とされる種類及び枚数の硬貨が外部に払い出される。硬貨貯留部には、例えば10円、50円、100円、500円が種類ごとに数10〜50枚程度溜められ、運賃箱に運賃として投入された硬貨が必要に応じて逐次補充される。
【先行技術文献】
【特許文献】
【０００４】
【特許文献１】特開２０１１−２２１９１８号公報
【発明の概要】
【発明が解決しようとする課題】
【０００５】
路線運行後、金庫は運賃箱から取り外され、金庫内部の収納物が精算機で一括回収されるので、金庫内の収納物を車両に残したままにしておくことはないが、運賃箱の硬貨貯留部に溜められた硬貨はそのまま運賃箱に残ってしまう。これは、硬貨の盗難に繋がることから、何らかの対策が必要であった。また、運賃として投入された硬貨の一部が運賃箱の硬貨貯留部に残ったままとなるので、精算機側において運賃の正確な合計金額を算出することができず、不便でもあった。
【０００６】
本発明の目的は、種銭を運賃箱に残したままにせずに運用することができる運賃収受システムを提供することにある。
【課題を解決するための手段】
【０００７】
前記問題点を解決する運賃収受システムは、運賃箱に投入される運賃を含む収納物の収納箇所である金庫を前記運賃箱から取り外し、金庫扉が施錠された当該金庫を精算機にセットし、前記金庫扉を解錠するとともに開け、金庫内の前記収納物を前記精算機で回収し、この回収作業を前記金庫ごとに行うことにより、複数の該金庫の前記収納物を前記精算機で回収する構成において、前記運賃箱には、前記運賃箱の外部に硬貨を払い出し可能な硬貨払出機構が、前記運賃箱に対して着脱可能に設けられている。
【０００８】
本構成によれば、例えば路線運行終了後、運賃箱から硬貨払出機構を取り外しておくことが可能となるので、運賃箱に硬貨を残すことなく運用することが可能となる。
【発明の効果】
【０００９】
本発明によれば、種銭を運賃箱に残したままにせずに運用することができる。
【図面の簡単な説明】
【００１０】
【図１】一実施形態の運賃収受システムの概略を示す構成図。
【図２】一方側の斜め位置から見た運賃箱の斜視図。
【図３】他方側の斜め位置から見た運賃箱の斜視図。
【図４】ダンパ部の構成を示す概略図。
【図５】金庫及び種銭払出機構の構成を示す斜視図。
【図６】金庫が閉状態のときの斜視図。
【図７】種銭払出機構の外観を示す斜視図。
【図８】精算機を正面側から見た斜視図。
【図９】精算機を背面側から見た斜視図。
【図１０】一方側から見た精算機の内部構成を示す精算機の側面図。
【図１１】他方側から見た精算機の内部構成を示す精算機の側面図。
【図１２】金庫に配設された弁部の構成を示す金庫上部の側面図。
【図１３】両替硬貨が払い出される際の動作態様を示す説明図。
【図１４】運賃回収及び種銭補充の各動作態様を示す説明図。
【図１５】種銭補充の動作態様を示す説明図。
【図１６】（ａ）は第１硬貨を金庫内に補充する際の動作図、（ｂ）は第２硬貨を金庫内に補充する際の動作図。
【発明を実施するための形態】
【００１１】
以下、運賃収受システムの一実施形態を図１〜図１６に従って説明する。
［運賃収受システムの全体構成］
図１に示すように、運賃収受システム１は、例えば路線バスやワンマン運行式鉄道等の車両に設置されて運賃が投入される運賃箱２と、運賃箱２に投入された貨幣（硬貨、紙幣等）や券類（整理券等）が収納され、運賃箱本体３に対して着脱可能な金庫４と、金庫４内に収納された収納物を一括回収する精算機５とを備える。精算機５は、例えば車両運行の営業所等に設置される。精算機５は、各車両（各運賃箱２）から持ち寄られた金庫４から金庫４内の収納物を回収し、この回収作業を金庫４ごとに行うことにより、複数の金庫４内の収納物を回収する。
【００１２】
［運賃箱本体の構成］
図２に示すように、運賃箱本体３の上面には、運賃としての貨幣や券類の投入口６と、ＩＣカードとの間で運賃支払い時にデータの読み書きを行うＩＣカードリーダライタ部７と、ＩＣカードでの運賃支払い時に各種画面を表示する表示部８とが設けられている。運賃箱本体３の上面端部付近には、両替する硬貨の硬貨投入口９と、両替する紙幣の紙幣挿入口１０とが設けられている。運賃箱２の正面には、硬貨投入口９に投入された不当な硬貨の損貨返却口１１と、両替硬貨を払い出す両替硬貨払出口１２と、損貨や両替硬貨の受け皿１３とが設けられている。
【００１３】
図３に示すように、運賃箱本体３において運転手側の側壁には、投入された貨幣及び券類の確認のために投入運賃を一時的に目視可能とするダンパ部１４が設けられている。本例のダンパ部１４は、投入された貨幣及び券類を一時的に停止させておくことにより、これらを運転手等により確認可能とする。運賃箱本体３の側壁には、運賃箱２を動作させる際に操作する操作盤１５が設けられている。操作盤１５には、ダンパ部１４に一時停止させられた貨幣及び券類を下方に落下させる際に操作するダンパ開放ボタン１６が設けられている。
【００１４】
図４に示すように、ダンパ部１４は、例えば透明な樹脂板等からなる窓部１７と、投入された貨幣及び券類を一時的に貯める投入物受け部１８とが設けられている。投入物受け部１８は、運賃箱２の奥行き方向（図４のＸ軸方向）に延びる軸１９回りに回動可能であり、背面に配設されたアクチュエータ２０によって開方向に回る。投入物受け部１８は、貨幣及び券類を一時的に貯める閉位置（実線の状態）と、一時的に貯めた貨幣及び券類を下方に落下させる開位置（２点鎖線の状態）とをとる。ダンパ部１４は、一時貯留した貨幣及び券類を、シュート２１を通じて金庫４に落下させる。
【００１５】
図１に示すように、運賃箱２には、硬貨投入口９に投入された硬貨の種別を識別する硬貨識別器２２が設けられている。硬貨識別器２２は、シュート２３を通じて金庫４に繋がり、シュート２４を通じて損貨返却口１１に繋がっている。運賃箱２には、紙幣挿入口１０に挿入された紙幣の種別を識別する紙幣識別器２５が設けられている。紙幣識別器２５は、シュート２６を通じて金庫４に繋がっている。運賃箱２には、運賃箱２の動作を制御する運賃箱制御部２７が設けられている。
【００１６】
［金庫及び種銭払出機構の構成］
図５及び図６に示すように、金庫４の上面には、金庫本体２８の上部開口２９を開閉可能な上部シャッタ３０が設けられている。上部シャッタ３０は、複数枚のスライド板からなり、ボールねじ３１を介して金庫本体２８に取り付けられている。金庫本体２８の内部には、ボールねじ３１の駆動源となるアクチュエータ３２が設けられている。金庫本体２８の内部には、運賃箱２に投入された貨幣や券類を収納する運賃収納部３３が設けられている。金庫４の下部には、運賃収納部３３の底部の下部開口３４を開閉可能な下部シャッタ３５が設けられている。下部シャッタ３５は、例えば上部シャッタ３０に対して間口やシャッタ開閉方向が異なるだけで、基本的に同様の構造をとる。なお、上部シャッタ３０及び下部シャッタ３５が金庫扉の一例である。
【００１７】
金庫４には、両替時に種銭を払い出す種銭払出機構３６が設けられている。種銭払出機構３６は、両替のために、硬貨投入口９に硬貨が投入されたり紙幣挿入口１０に紙幣が挿入されたりしたとき、種銭を受け皿１３に払い出す。種銭払出機構３６は、両替硬貨として第１硬貨（例えば10円硬貨）を払い出す第１種銭払出機構３６ａと、両替硬貨として第２硬貨（例えば100円硬貨）を払い出す第２種銭払出機構３６ｂとを備える。なお、種銭払出機構３６（３６ａ，３６ｂ）が硬貨払出機構の一例である。
【００１８】
金庫本体２８の側壁には、第１種銭払出機構３６ａの第１硬貨を金庫本体２８の外部に排出する第１硬貨排出口３７ａと、第２種銭払出機構３６ｂの第２硬貨を金庫本体２８の外部に排出する第２硬貨排出口３７ｂとが設けられている。金庫４の隣位置には、第１硬貨排出口３７ａ及び第２硬貨排出口３７ｂから排出された硬貨を両替硬貨払出口１２まで搬送する略英文字Ｌ形状の搬送ベルト３８が設けられている。搬送ベルト３８は、水平ベルト部３８ａに載せられた第１硬貨及び第２硬貨を、鉛直リフト部３８ｂによって両替硬貨払出口１２まで持ち上げる。
【００１９】
図７に示すように、第１種銭払出機構３６ａは、第１硬貨を溜める貯留部３９ａと、両替時、貯留部３９ａに溜められた硬貨を貯留部３９ａの外部に排出する硬貨繰出部４０ａとを備える。硬貨繰出部４０ａは、第１種銭払出機構３６ａの側壁のスリット４１ａから、貯留部３９ａ内の第１硬貨を１枚ずつ外部に排出する。第２種銭払出機構３６ｂは、第１種銭払出機構３６ａと同様に、貯留部３９ｂ、硬貨繰出部４０ｂ及びスリット４１ｂを備える。
【００２０】
図６に示すように、金庫４の背面には、電気接続用のコネクタ４２が設けられている。金庫４が運賃箱本体３にセットされると、コネクタ４２が運賃箱２のコネクタ４３と電気接続される。このとき、運賃箱制御部２７は、金庫４からＩＤを読み出し、金庫４を認証する。運賃箱制御部２７は、認証が成立することを確認すると、アクチュエータ３２を開方向に駆動し、上部シャッタ３０を開状態にし、上部開口２９を開放する。なお、上部シャッタ３０が開状態のときは、金庫４が運賃箱本体３にロックされ、取り外しが禁止される。一方、運賃箱２において金庫４の取り外し操作がなされると、アクチュエータ３２が閉方向に駆動されて上部シャッタ３０が閉じられ、かつ施錠される。
【００２１】
［精算機の構成］
図８に示すように、精算機５の正面には、金庫４のセット先として金庫解錠部４４が設けられている。金庫解錠部４４は、セットされた金庫４の上部シャッタ３０及び下部シャッタ３５を解錠する。精算機５の正面において金庫解錠部４４の上方には、回収状態を表示する表示部４５が設けられている。精算機５の側壁には、精算機５の内部に種銭を補充するときに開閉する補充用点検蓋４６が設けられている。金庫解錠部４４の奥の壁面には、金庫解錠部４４に金庫４が挿し込まれたことを検出する検出スイッチ４７と、金庫４の背面のコネクタ４２が接続されるコネクタ４８とが設けられている。金庫解錠部４４の底壁には、金庫４から流出する収納物を精算機５の内に通す内部開口４９を開閉する精算機シャッタ５０が開閉可能に設けられている。精算機５には、精算機５の動作を制御する精算機制御部５１が設けられている。
【００２２】
図９に示すように、精算機５の背面には、精算機５で回収した硬貨を計数する硬貨計数機５２が設けられている。硬貨計数機５２には、計数後の硬貨を収納する複数の硬貨コンテナ５３が取り出し可能に設けられている。硬貨計数機５２は、硬貨の種類や枚数を計数した上で、回収した硬貨を種類ごとに分けて硬貨コンテナ５３に収納する。硬貨計数機５２は、硬貨コンテナ５３が満杯になったとき、隣に開きコンテナが用意されていれば、そこに収納先を切り替える。
【００２３】
図１に示すように、精算機５には、金庫４から排出された貨幣や券類を奥に搬送する搬送ベルト５４が設けられている。搬送ベルト５４の端部には、搬送ベルト５４によって搬送されてきた硬貨、紙幣、券類を分離する券銭分離機５５が設けられている。券銭分離機５５には、軸Ｌ１回りに回転して硬貨、紙幣、券類を分離するドラム部５６と、ドラム部５６の内部に風を送って紙類（紙幣、券類）を奥に飛ばすファン５７と、ドラム部５６の端部開口を開閉可能なスライド式のドラム蓋５８とが設けられている。ドラム部５６は、硬貨と紙類（紙幣、券類）とを分離する第１回転ドラム５９と、紙幣と券類とを分離する第２回転ドラム６０とが設けられている。第１回転ドラム５９の周壁には、硬貨が通過可能な孔５９ａが複数形成され、この孔５９ａを通って分離した硬貨がシュート６１を通じて硬貨リフタ部６２に送られる。第２回転ドラム６０の周壁には、券類のみ通過可能な孔６０ａが複数形成され、この孔６０ａを通って分離した券類がシュート６３を通じて券類コンテナ６４に収納される。第２回転ドラム６０内にある紙幣は、ドラム蓋５８が開状態に切り替えられたとき、ファン５７からの風によって飛ばされることにより、シュート６５を通じて紙幣コンテナ６６に収納される。
【００２４】
図１０に示すように、硬貨リフタ部６２には、券銭分離機５５によって分離された硬貨が流れ込む硬貨流入部６７と、硬貨流入部６７内の硬貨を斜め上方にリフトアップする搬送ベルト６８とが設けられている。硬貨流入部６７の内部には、硬貨流入部６７に流れ込んできた硬貨を搬送ベルト６８に向かわせる斜面部６９が設けられている。搬送ベルト６８の搬送面には、硬貨を下から持ち上げ可能な硬貨載置突７０が搬送方向に沿って等間隔に複数設けられている。搬送ベルト６８によって頂点まで搬送された硬貨は、自由落下によって硬貨計数機５２に送られる。
【００２５】
図１１に示すように、精算機５には、金庫解錠部４４にセットされた金庫４に種銭を補充する種銭補充機構７１が設けられている。種銭補充機構７１は、金庫４内の第１種銭払出機構３６ａに第１硬貨を補充する第１種銭補充機構７１ａと、金庫４内の第２種銭払出機構３６ｂに第２硬貨を補充する第２種銭補充機構７１ｂとを備える。
【００２６】
第１種銭補充機構７１ａは、第１種銭払出機構３６ａから排出された種銭を精算機５の奥側に搬送する搬送ベルト７２ａと、搬送ベルト７２ａによって搬送された硬貨を略９０°異なる搬送向きに変えて更に奥に送る搬送ベルト７３ａと、搬送ベルト７３ａによって搬送された硬貨を貯留する大容量硬貨貯留部７４ａとを備える。また、第１種銭補充機構７１ａは、大容量硬貨貯留部７４ａに貯留された硬貨を上方にリフトアップする搬送ベルト７５ａと、搬送ベルト７５ａにより搬送された硬貨を溜めて第１種銭払出機構３６ａに補充する種銭補充部７６ａとを備える。種銭補充部７６ａは、種銭補充部７６ａに流入する硬貨の枚数を計数する硬貨枚数カウンタ７７ａを備え、内部に一時貯留された硬貨の総数を監視する。搬送ベルト７５ａの搬送面には、硬貨を下から持ち上げ可能な硬貨載置突７８ａが搬送方向に沿って等間隔に複数設けられている。大容量硬貨貯留部７４ａの内部には、流入してきた第１硬貨を搬送ベルト７５ａに向かわせる複数の斜面部７９ａが設けられている。種銭補充部７６ａ内の第１硬貨は、シュート８０ａを通じて金庫４内の第１種銭払出機構３６ａに流入する。
【００２７】
第２種銭補充機構７１ｂは、第１種銭補充機構７１ａと同様に、搬送ベルト７２ｂ，７３ｂ，７５ｂ、大容量硬貨貯留部７４ｂ、種銭補充部７６ｂ、硬貨枚数カウンタ７７ｂ、硬貨載置突７８ｂ、斜面部７９ｂ及びシュート８０ｂを備える。第１種銭補充機構７１ａ及び第２種銭補充機構７１ｂは、精算機５の奥行き方向（図１１のＸ軸方向）に並び配置されている。
【００２８】
［種銭補充通路切替機構の構成］
図１に示すように、金庫４及び精算機５には、種銭の補充通路を切り替える種銭補充通路切替機構８１が設けられている。種銭補充通路切替機構８１は、金庫４の内部において種銭補充通路を切り替える弁部８２と、弁部８２の位置を切り替えるレバー部８３と、レバー部８３の駆動源となるアクチュエータ８４とを備える。レバー部８３及びアクチュエータ８４は、精算機５側に設けられている。
【００２９】
図１２に示すように、弁部８２には、弁部８２のフレームをなす筐体８５と、アクチュエータ８４を駆動源として軸８６回りに回動可能な略英文字Ｖ形状のフラッパ８７とが設けられている。フラッパ８７は、第１種銭払出機構３６ａへの通路８８と第２種銭払出機構３６ｂへの通路８９との両方を閉じる閉位置（実線の状態）と、第１種銭払出機構３６ａへの通路８８を開放する第１通路開位置（１点鎖線の状態）と、第２種銭払出機構３６ｂへの通路８９を開放する第２通路開位置（２点差線の状態）との３位置をとる。
【００３０】
次に、図４，図８，図１３〜図１６を用いて、運賃収受システム１の動作を説明する。
［運賃投入時の動作］
図４に示すように、運賃（硬貨、紙幣、券類等）が投入口６に投入されると、これらがダンパ部１４に一旦収納される。このとき、運転手は、窓部１７を通じて投入金額等を確認し、金額が正しければ、ダンパ開放ボタン１６を操作する。ダンパ開放ボタン１６が操作されると、アクチュエータ２０が作動し、投入物受け部１８が閉状態→開状態に切り替わる。これにより、ダンパ部１４で停止されていた貨幣や券類が下方に落とされる。ダンパ部１４から落とされた貨幣や券類は、シュート２１を通じて金庫４に収納される。
【００３１】
［種銭の払い出し動作］
図１３に示すように、硬貨投入口９に硬貨が投入されると、硬貨識別器２２によって種別が識別される。投入硬貨が正当であれば、シュート２３を通じて金庫４に収納され、投入硬貨が損貨であれば、シュート２４を通じて受け皿１３に排出される。また、紙幣挿入口１０に紙幣が投入されると、紙幣識別器２５によって種別が識別される。投入紙幣が正当であれば、シュート２６を通じて金庫４に収納され、不当な紙幣であれば、逆搬送されて紙幣挿入口１０から排出される。
【００３２】
運賃箱制御部２７は、硬貨投入口９への正当な硬貨の投入時、又は紙幣挿入口１０への正当な紙幣の挿入時、金庫４内の種銭払出機構３６を作動して両替硬貨を払い出す。まず、運賃箱制御部２７は、搬送ベルト３８を駆動した上で、硬貨繰出部４０ａ，４０ｂを作動することにより、貯留部３９ａ，３９ｂ内の硬貨を所定枚数、搬送ベルト３８に送り出す。搬送ベルト３８に排出された硬貨は、搬送ベルト３８によって上方にリフトアップされ、両替硬貨払出口１２を通じて受け皿１３に排出される。
【００３３】
［金庫内の収納物の回収動作］
図８に示すように、路線運行後、運賃箱２から金庫４が取り外され、営業所等に設置された精算機５に持ち寄られる。金庫４は、運賃箱本体３から取り外されると、上部シャッタ３０が閉じられるとともに施錠される。金庫４は、上部シャッタ３０を上向きにして金庫解錠部４４に挿し込まれる。金庫４が金庫解錠部４４にセットされると、金庫４のコネクタ４２と、金庫解錠部４４の内部のコネクタ４８とが接続される。精算機制御部５１は、金庫４からコネクタ４２，４８を通じてＩＤを入力し、金庫４のＩＤを認証する。精算機制御部５１は、ＩＤ認証が成立することを確認すると、金庫４内の収納物の回収動作を開始する。
【００３４】
図１４に示すように、回収動作が開始されると、下部シャッタ３５及び精算機シャッタ５０が開状態に切り替えられることにより、金庫４内の収納物（硬貨、紙幣、券類等）が下方に自由落下される。自由落下した硬貨、紙幣、券類等は、搬送ベルト５４によって第１回転ドラム５９の内部に搬送される。第１回転ドラム５９の内部に流入した硬貨、紙幣、券類は、軸Ｌ１回りに回転する第１回転ドラム５９の孔５９ａから硬貨のみが下方に落下することにより、硬貨と紙類とが分離される。孔５９ａから落下した硬貨は、シュート６１を通じて硬貨リフタ部６２の硬貨流入部６７に送られる。
【００３５】
硬貨流入部６７に入り込んだ硬貨は、回転する搬送ベルト６８の硬貨載置突７０によって下からすくい上げられ、上方にリフトアップされる。搬送ベルト６８によって頂点まで持ち上げられた硬貨は、ベルト端から下方に自由落下され、硬貨計数機５２に送られる。硬貨計数機５２は、取得した硬貨の種別を識別し、種類ごとに仕分けした上で硬貨コンテナ５３に収納する。
【００３６】
第１回転ドラム５９内の紙類（紙幣、券類）は、ファン５７の風によって、第２回転ドラム６０内に飛ばされる。第２回転ドラム６０の内部に到達した紙幣及び券類は、軸Ｌ１回りに回転する第２回転ドラム６０の孔６０ａから券類のみが下方に落下することにより、紙幣と券類とが分離される。孔６０ａから落下した硬貨は、シュート６３を介して券類コンテナ６４に収納される。
【００３７】
第２回転ドラム６０に到達した紙幣は、第２回転ドラム６０内に一時的に溜められる。そして、所定のタイミングでドラム蓋５８が端部にスライド移動することにより、第２回転ドラム６０の端部が開口されると、第２回転ドラム６０に滞留していた紙幣がファン５７の風によって奥に飛ばされ、シュート６５を通じて紙幣コンテナ６６に収納される。
【００３８】
［種銭の補充動作］
図１４に示すように、精算機制御部５１は、金庫４の上部シャッタ３０を開状態に切り替えておく。第１種銭払出機構３６ａ及び第２種銭払出機構３６ｂは、種銭補充時、まず貯留部３９ａ，３９ｂに残留する種銭を、スリット４１ａ，４１ｂ及び硬貨排出口３７ａ，３７ｂを介して、一旦、全て排出する。第１種銭払出機構３６ａの貯留部３９ａから排出された第１硬貨は、搬送ベルト７２ａによって奥（図１４の紙面奥の方向）に搬送される。第２種銭払出機構３６ｂの貯留部３９ｂから排出された第２硬貨は、搬送ベルト７２ｂによって奥（図１４の紙面奥の方向）に搬送される。搬送ベルト７２ａ上の第１硬貨は、ベルト端から下方に自由落下することにより搬送ベルト７３ａに載置され、搬送ベルト７３ａによって大容量硬貨貯留部７４ａに送られる。
【００３９】
図１５に示すように、大容量硬貨貯留部７４ａには、ある程度の枚数の硬貨が予め貯留されている。大容量硬貨貯留部７４ａ内の第１硬貨は、回転する搬送ベルト７５ａの硬貨載置突７８ａによって下からすくい上げられ、上方にリフトアップされる。搬送ベルト７５ａによって頂点まで持ち上げられた第１硬貨は、ベルト端から下方に自由落下され、第１種銭補充部７６ａに貯留される。補充に必要な枚数の第１硬貨が第１種銭補充部７６ａに溜められたことが硬貨枚数カウンタ７７ａにより検出されると、搬送ベルト７５ａの駆動が停止される。また、搬送ベルト７２ｂ上の第２硬貨も、第１硬貨の搬送と同様の流れをとって、第２種銭補充部７６ｂに補充される。
【００４０】
図１６（ａ）に示すように、精算機制御部５１は、アクチュエータ８４を一方側に動作させることにより、フラッパ８７を第１通路開位置に切り替えた上で、第１種銭補充機構７１ａの種銭補充部７６ａに第１硬貨の補充を実行させる。これにより、種銭補充部７６ａ内の全ての第１硬貨がシュート８０ａを通じて自由落下し、第１通路開位置をとるフラッパ８７によって開放された通路８８を通って、第１種銭払出機構３６ａの貯留部３９ａに流入する。よって、貯留部３９ａには、第１硬貨が満補充される。
【００４１】
続いて、図１６（ｂ）に示すように、精算機制御部５１は、アクチュエータ８４を他方側に動作させることにより、フラッパ８７を第２通路開位置に切り替えた上で、第２種銭補充機構７１ｂの種銭補充部７６ｂに第２硬貨の補充を実行させる。これにより、種銭補充部７６ｂ内の全ての第２硬貨がシュート８０ｂを通じて自由落下し、第２通路開位置をとるフラッパ８７によって開放された通路８９を通って、第２種銭払出機構３６ｂの貯留部３９ｂに流入する。よって、貯留部３９ｂには、第２硬貨が満補充される。
【００４２】
以上の作業により、精算機５における金庫４の運賃回収及び種銭補充が完了する。作業者は、精算機５にセットした金庫４の運賃回収及び種銭補充が完了したことを表示部４５で確認すると、金庫４を金庫解錠部４４から取り出す。そして、以上の作業が金庫４ごとに行われることにより、複数の金庫４内の収納物の一括回収及び種銭補充が繰り返し実行される。なお、大容量硬貨貯留部７４ａ，７４ｂ内の硬貨が少なくなったときは、補充用点検蓋４６を開けて、硬貨コンテナ５３の硬貨を大容量硬貨貯留部７４ａ，７４ｂ内に補充する。
【００４３】
本実施形態の構成によれば、以下に記載の効果を得ることができる。
（１）金庫４は、両替硬貨としての種銭を運賃箱２から払い出す種銭払出機構３６を備えた。このため、路線運行終了時、運賃を精算機５で回収するために運賃箱２から金庫４を取り外せば、同時に種銭払出機構３６も運賃箱２から取り外すことが可能となる。よって、路線運行後、種銭を運賃箱２に残すことなく運用することができる。
【００４４】
（２）運賃箱２は、ＩＣカードリーダライタ部７にＩＣカードをかざすことによる運賃支払いの機能を備える。このため、運賃支払いが硬貨や紙幣等の実際の貨幣で行われる頻度が少なくなるので、金庫４内に溜めておく種銭も極力少なく済むことになる。よって、種銭払出機構３６が小型のサイズのもので済むので、金庫４に種銭払出機構３６を設ける構造をとっても、金庫４のサイズが大幅に大型化することはない。
【００４５】
（３）運賃箱２には、運賃箱２に投入された硬貨を両替の種銭として種銭払出機構に貯留するための硬貨還流構造を設けずに済むので、運賃箱２に大掛かりな種銭払出用の機構を設けなくてもよい。よって、運賃箱２の構成を大幅に簡素化することができ、運賃箱２の製造コストも低く抑えることができる。
【００４６】
（４）運賃箱２から金庫４を取り外せば、金庫４内の運賃とともに種銭も全て回収されることになる。よって、運賃箱２から全ての金銭を取り出すことが可能となるので、金銭盗難に対するセキュリティ性を確保することができる。
【００４７】
（５）金庫４に種銭払出機構３６を設けて、これらを一体化した。よって、これらを別々に取り扱う場合に比べて、利便性をよくすることができる。
（６）精算機５は、金庫解錠部４４にセットされた金庫４内の種銭払出機構３６に対し、種銭を補充する種銭補充機構７１を備えた。よって、精算機５で金庫４内の収納物を回収する際、同時に金庫４内に種銭を補充することが可能となるので、種銭補充の利便性をよくすることができる。
【００４８】
（７）金庫４内に複数の種銭払出機構３６を設けたので、両替硬貨として複数種類の硬貨を払い出すことができる。
（８）精算機５に複数の種銭補充機構７１を設けるとともに、金庫４内に種銭の補充通路を切り替える弁部８２を設け、この弁部８２を精算機５側のレバー部８３で切り替え可能とした。よって、金庫４内に複数の種銭払出機構３６が設けられていても、これらに適切な硬貨を各々補充することができる。
【００４９】
なお、実施形態はこれまでに述べた構成に限らず、以下の態様に変更してもよい。
・種銭補充は、種銭払出機構３６から種銭を全て排出させて、新たに種銭を満補充する作業に限定されない。例えば、両替時にどの種別の硬貨がどれだけ払い出されたのかを両替硬貨データとして金庫４に保持しておき、精算機５での種銭補充時、必要な枚数の種銭のみ種銭払出機構３６に補充することも可能である。
【００５０】
・運賃収納部３３内の貨幣や券類は、下部シャッタ３５から外部に排出されることに限定されない。例えば、運賃収納部３３の底面を斜面状にし、金庫４の側部に開閉シャッタを設ける。そして、金庫４の側部の開閉シャッタを開状態とし、運賃収納部３３の底面の斜面によって貨幣や券類を斜め下方に落下させて、貨幣や券類を金庫４の外部に排出することも可能である。
【００５１】
・種銭補充部７６ａ，７６ｂに予め種銭を溜めておき、種銭払出機構３６から種銭が全排出された後、種銭補充部７６ａ，７６ｂ内の種銭を、直ぐに種銭払出機構３６に満補充してもよい。
【００５２】
・上部シャッタ３０は、運賃収納部３３と種銭払出機構３６とで各々個別に設けてもよい。
・弁部８２は、金庫４側ではなく精算機５に設けられてもよい。また、レバー部８３及びアクチュエータ８４は、精算機５側ではなく金庫４に設けられてもよい。
【００５３】
・硬貨コンテナ５３の硬貨は、搬送ベルト等によって大容量硬貨貯留部７４ａ，７４ｂに送られることにより、種銭が自動で大容量硬貨貯留部７４ａ，７４ｂに補充されてもよい。
【００５４】
・種銭補充通路切替機構８１は、省略することも可能である。例えば、金庫４が精算機５にセットされた状態のとき、シュート８０ａの先端と第１種銭払出機構３６ａとが正確に位置合わせされ、かつシュート８０ｂの先端と第２種銭払出機構３６ｂとが正確に位置合わせされるのであれば、種銭補充通路切替機構８１は不要である。
【００５５】
・ダンパ部１４は、アクチュエータ２０による電動に限らず、操作者の操作力で投入物受け部１８が回る機械式としてもよい。
・ダンパ部１４は、例えばベルトによって投入物を奥に低速で流す構造のものでもよい。
【００５６】
・種銭払出機構３６は、金庫４に１つのみ設けられてもよいし、又は３つ以上設けられてもよい。
・運賃箱２、金庫４、精算機５に搭載されるアクチュエータは、モータやソレノイド等、種々の駆動源が採用可能である。
【００５７】
・ＩＣカードリーダライタ部７は、例えば磁気リーダ等の他のデータ読み書き機器に変更可能である。
・種銭払出機構３６、券銭分離機５５、硬貨リフタ部６２、種銭補充機構７１、種銭補充通路切替機構８１等は、種々の構造が採用可能である。
【００５８】
・運賃箱２が釣り銭計算できる機能を備えている場合、種銭は釣り銭でもよい。
・金庫４の上部シャッタ３０を運賃収納部３３と種銭払出機構３６とで別々に設ける場合、例えば金庫４が上向きのときに種銭払出機構３６のシャッタを開状態にして種銭を補充し、開状態のシャッタを閉状態に戻す。種銭補充後、金庫４を上下逆さまに180度回転させ、この逆さま状態で今度は運賃収納部３３のシャッタを開状態にすることにより、金庫４内の貨幣や券類を下方に自由落下させてもよい。
【００５９】
・種銭払出機構３６は、金庫４と別体に設けられ、これが運賃箱２に対して着脱可能となっていてもよい。
次に、上記実施形態及び別例から把握できる技術的思想について、それらの効果とともに以下に追記する。
【００６０】
（イ）前記運賃収受システムにおいて、前記運賃箱には、当該運賃箱に投入された投入物を目視により確認可能な投入物確認部が設けられている。この構成によれば、投入された運賃や券類等が正確かどうかを確認することが可能となる。
【００６１】
（ロ）前記運賃収受システムにおいて、前記投入物確認部は、前記運賃箱に投入された投入物を、閉状態の投入物受け部によって一時停止させることにより、当該投入物を目視可能とし、前記運賃箱に配設された操作部が操作されたとき、前記投入物受け部が開状態に切り替わることにより、一時停止されていた前記投入物を下方に送る。この構成によれば、投入物確認部が手動式の簡素な構成で済む。
【００６２】
（ハ）前記運賃収受システムにおいて、前記運賃箱には、無線によって運賃の支払いを行う無線運賃支払部（例えば、ＩＣカードリーダライタ部）を設けた。この構成によれば、運賃箱に用意しておく種銭が少なく済むので、硬貨払出機構のサイズが小型で済む。
【００６３】
（二）少なくとも運賃が投入され、当該運賃を金庫の内部に取り込んで収納する運賃箱において、外部に硬貨を払い出し可能な硬貨払出機構が着脱可能に設けられている。この構成によれば、例えば路線運行終了後、運賃箱から硬貨払出機構を取り外しておくことが可能となるので、運賃箱に種銭を残しておかずに済む。
【００６４】
（ホ）運賃箱に対して着脱可能に設けられ、前記運賃箱に投入された運賃を取り込んで収納する金庫において、前記運賃箱の外部に硬貨を払い出し可能な硬貨払出機構を備えた。この構成によれば、例えば路線運行終了後、運賃箱から金庫を取り外せば、同時に硬貨払出機構も運賃箱から取り外されることとなるので、運賃箱に硬貨を残しておかずに済む。
【００６５】
（へ）施錠された金庫がセットされ、当該金庫を解錠するとともに開け、前記金庫に収納された収納物を回収する精算機において、前記運賃箱の外部に硬貨を払い出すことが可能な硬貨払出機構が当該運賃箱から取り外されてセットされたとき、前記硬貨払出機構に対して硬貨を補充する硬貨補充機構を備えた。この構成によれば、硬貨払出機構を精算機にセットして自動で硬貨を硬貨払出機構に補充することが可能となるので、硬貨補充の利便性を確保することが可能となる。
【符号の説明】
【００６６】
１…運賃収受システム、２…運賃箱、４…金庫、５…精算機、３０…金庫扉を構成する上部シャッタ、３５…金庫扉を構成する下部シャッタ、３６，３６ａ，３６ｂ…硬貨払出機構としての種銭払出機構、７１，７１ａ，７１ｂ…硬貨補充機構としての種銭補充機構。
【図１】
2014174731.tif 000003
【図２】
2014174731.tif 000004
【図３】
2014174731.tif 000005
【図４】
2014174731.tif 000006
【図５】
2014174731.tif 000007
【図６】
2014174731.tif 000008
【図７】
2014174731.tif 000009
【図８】
2014174731.tif 000010
【図９】
2014174731.tif 000011
【図１０】
2014174731.tif 000012
【図１１】
2014174731.tif 000013
【図１２】
2014174731.tif 000014
【図１３】
2014174731.tif 000015
【図１４】
2014174731.tif 000016
【図１５】
2014174731.tif 000017
【図１６】
2014174731.tif 000018